(57)【要約】【課題】オイルパン上を所定の摺接圧で移動し、確実な塵埃及び油の除去を実現する。【解決手段】ステップ軸２Ａ，２Ｂに脱着自在に取り付けた固定片３Ａ〜３Ｃと、該固定片３Ｃに対してリンク部材７Ａ，７Ｂを介して揺動自在に連結された移動体８とから成り、移動体８はエスカレータの進行方向に対して直交する方向へ伸びるフレーム１２Ａ，１２Ｂを有し、該フレーム１２Ａ，１２Ｂにはオイルパン４の表面に当接するスクレーパ１４Ａ，１４Ｂと車輪１６とが取り付けられている。例えば、フレームの重量を変更すること等により、スクレーパのオイルパンに対する摺接圧を変更することが可能である。また車輪がオイルパン上を走行するので、清掃作業中の移動体及びスクレーパの姿勢が安定する。【選択図】  図５
2004168467.tif 000002
【特許請求の範囲】
【請求項１】
ステップ軸に脱着自在に取り付けた固定片と、該固定片に対してリンク部材を介して揺動自在に連結された移動体とから成り、移動体はエスカレータの進行方向に対して直交する方向へ伸びるフレームを有し、該フレームにはオイルパンの表面に当接するスクレーパと車輪とが取り付けられていることを特徴とするエスカレータオイルパンの清掃装置。
【請求項２】
前後のステップ軸間に固定片が取り付けられており、該前後の固定片どうしは間隔が伸縮できるように関節アームを介して連結されている請求項１に記載のエスカレータオイルパンの清掃装置。
【請求項３】
移動体は前後に平行に配設された複数のフレームを有し、それぞれにスクレーパと車輪とが取り付けられている請求項１又は２に記載のエスカレータオイルパンの清掃装置。
【発明の詳細な説明】
【０００１】
【発明の属する技術分野】
本発明は、エスカレータのオイルパンに滴下したオイル及び堆積した塵埃の清掃を、オイルパン上を走行することで自動的に行うことのできる清掃装置に関するものである。
【０００２】
【従来の技術】
エスカレータは、数々のチェーン、スプロケット、ローラ等が組合わさってステップを移動させ、人を運ぶ機械である。そのため、機械をスムーズに動作させるためには、各部に潤滑油を給油する必要があり、自動給油が行われている。給油された油は、チェーン等から下方のオイルパンへ滴下し、オイルパンを伝わって下部機械室に溜まるようになっている。また埃が、各部隙間からエスカレータ内部へ侵入し、オイルパンの上の油に付着したり、チェーン等の油に付着し、油と共にオイルパン上に落下堆積していた。
【０００３】
このようなオイルパン上の油及び油を含む埃等の汚れは、煙草の火の不始末等によって燃えたり、煙を出す原因になっていた。またチェーン等に埃が堆積していると、自動給油によって滴下する油がチェーンまで浸透しなくなり、異音が発生したり、チエーンの摩耗が激しくなって寿命を短くする等の問題があった。更に、オイルパンから油が漏れ出した場合に被害が拡大する虞があった。
【０００４】
そこで、従来にあっては、特許文献１のように、オイルパンの両側板としてのガイドに、駆動ローラを備えた駆動部を設け、左右の駆動部どうしにフレームを架け渡し、フレームに下方のオイルパンへ向けて清掃用ブラシを植設することでオイルパンの清掃装置を構成している。エスカレータの上部機械室側に当該清掃装置をセットし、駆動ローラで下部機械室までオイルパンに沿って移動させることで、ブラシがオイルパン上を摺接し、オイルパン上の塵埃を除去するようにしている。
【０００５】
また特許文献２にあっては、上部機械室側でステップの前輪軸に塵取り状の清掃本体を回動自在に取り付け、清掃装置本体の前端縁にスクレーパを取り付けてオイルパン上に摺接させ、エスカレータを手動で低速走行させることにより、前記スクレーパでオイルパン上の塵埃を清掃除去している。
【０００６】
【特許文献１】
特開平０８−０５９１６８号公報（特に、［００１２］〜［００１５］、図４及び図５を参照）
【特許文献２】
特開平０９−１９４１７４号公報（特に、［００１３］〜［００１５］、図１及び図２を参照）
【０００７】
【発明が解決しようとする課題】
ところが、前記特許文献１の従来技術にあっては、ブラシでオイルパンの表面を掃いているだけであり、大きな塵埃は取り除くことはできるものの、小さな塵埃やオイルパン上の油がしみ込んでオイルパンに付着した塵埃、更にはオイルパン上の油等はブラシだけでは除去できない場合があり、結局は最後に作業員が手作業で残った塵埃や油等の清掃を行わねばならなかった。またオイルパンの両ガイドは、形状が均一でないものもあり、更にはオイルパンの固定用クリップを設置しているものもある。従って、特許文献１の従来技術は、使用環境が大きく制限されるという欠点があった。
【０００８】
一方、特許文献２にあっては、清掃装置本体が片持ち支持であるため、スクレーパのオイルパンに対する十分な摺接圧が得られず、全ての塵埃をスクレーパで除去することができなかった。また清掃装置の平板状のスクレーパがオイルパン上の凹凸部を通過する際、スクレーパがオイルパン表面を滑らかに移動することが困難であり、除去した塵埃をオイルパン上に残すことが多かった。また万一、オイルパン上にこびりついた固形状の塵埃があった場合、塵取り形状であるが故に、この塵埃にスクレーパが引っ掛かってしまい、それ以上前進することが困難であった。
【０００９】
本発明は従来の前記課題に鑑みてこれを改良除去したものであって、オイルパン上を所定の摺接圧で移動し、確実な塵埃及び油の除去が可能なエスカレータオイルパンの清掃装置を提供せんとするものである。
【００１０】
【課題を解決するための手段】
而して、前記課題を解決するために本発明が採用した請求項１の手段は、ステップ軸に脱着自在に取り付けた固定片と、該固定片に対してリンク部材を介して揺動自在に連結された移動体とから成り、移動体はエスカレータの進行方向に対して直交する方向へ伸びるフレームを有し、該フレームにはオイルパンの表面に当接するスクレーパと車輪とが取り付けられていることを特徴とするエスカレータオイルパンの清掃装置である。
フレームの重量を変更することにより、該フレームに取り付けられたスクレーパのオイルパンに対する摺接圧を変更することが可能である。また車輪がオイルパン上を走行するので、清掃作業中の移動体及びスクレーパの姿勢が安定する。従って、オイルパン上の塵埃や油の清掃を確実に行うことが可能である。
【００１１】
また本発明が採用した請求項２の手段は、前後のステップ軸間に固定片が取り付けられており、該前後の固定片どうしは間隔が伸縮できるように関節アームを介して連結されている請求項１に記載のエスカレータオイルパンの清掃装置である。
この発明によれば、清掃装置は、前後のステップ軸間に跨がって取り付けられており、その動作中の姿勢がより安定し、スクレーパとオイルパン表面との間に隙間が形成され難くなる。そのため、前記請求項１の発明にも増してオイルパンの清掃性にすぐれている。
【００１２】
更に、本発明が採用した請求項３の手段は、移動体は前後に平行に配設された複数のフレームを有し、それぞれにスクレーパと車輪とが取り付けられている請求項１又は２に記載のエスカレータオイルパンの清掃装置である。
前後の複数のスクレーパで清掃することにより、清掃の確実性をより向上させることができ、また前進側の車輪の存在により清掃できなかった部分を、後ろ側のスクレーパで清掃することができ、確実な清掃が可能である。
【００１３】
【発明の実施の形態】
以下に、本発明の構成を図面に示す発明の実施の形態に基づいて説明すると次の通りである。図１〜図５は本発明の一実施の形態に係るものであり、図１はエスカレータオイルパン清掃装置１の平面図、図２の図（Ａ）は低い姿勢の時の同装置１の側面図であり、図（Ｂ）は高い姿勢の時の同装置１の側面図である。図３の図（Ａ）は図１のＸ−Ｘ線断面図であり、図（Ｂ）は図１のＹ−Ｙ線断面図である。図４の図（Ａ）は前後のスクレーパを拡大して示す側面図であり、図（Ｂ）は同正面図、図５は複数カ所における清掃作業の状態を同時に表す側面図である。
【００１４】
同図に示す如く、この実施の形態に係る清掃装置１は、前後の二つのステップ軸２Ａ，２Ｂに固定片３Ａ〜３Ｃを螺子固定している。前側のステップ軸２Ａには、オイルパン４（図５及び図７参照）の幅方向の両端寄りに（所定間隔をおいて）、二つの固定片３Ａ，３Ｂが固定されている。また後側のステップ軸２Ｂの中央には、一つの固定片３Ｃが固定されている。前側のステップ軸２Ａの固定片３Ａ，３Ｂどうしは、連結フレーム５によって一体的に連結されており、また当該フレーム５と後側のステップ軸２Ｂの固定片３Ｃとは二つの関節アーム６Ａ，６Ｂによって間隔が伸縮自在に連結されている。
【００１５】
一方、前側のステップ軸２Ａの左右両端寄りの位置には、リンク部材７Ａ，７Ｂを介して移動体８が連結されている。移動体８は、図１に示すように、オイルパン４の幅方向寸法よりもやや小さめの幅寸法に設定され、図４の図（Ａ）に示すように、前後方向には４００ｍｍ前後の寸法に設定された本体９を有している。この移動体本体９は、その上下面にそれぞれナット嵌合溝１０が三列形成されている。ナット嵌合溝１０は、キノコ状の溝であり、半球状のナット１１を横側端面からスライドさせて嵌合させた後は、抜けない構造となっている。また移動体本体９の下面側には、その前後に当該本体９よりも広幅のＬ型フレーム１２Ａ，１２Ｂがボルト１３及びナット１１によって固定されている。
【００１６】
そして、このＬ型フレーム１２Ａ，１２Ｂに、それぞれ二種類で三枚のスクレーパ１４Ａ，１４Ｂ，１４Ａ及び１５Ａ，１５Ｂ，１５Ａと、左右に合計二個ずつが配された車輪１６とがボルト１３によって固定されている。前後のフレーム１２Ａ，１２Ｂの車輪１６どうしは、図３の図（Ａ）及び図（Ｂ）に示すように、それぞれ進行方向に対して同一の走行軌跡を描かないように、幅方向において異なる位置に取り付けられている。また前後のフレーム１２Ａ，１２Ｂのスクレーパは、それぞれ左右の車輪１６どうしの間に長尺のスクレーパ１４Ｂと１５Ｂとが配設され、左右の車輪１６の各外側に短尺のスクレーパ１４Ａ，１４Ａ及び１５Ａ，１５Ａが配設されている。従って、前後のフレーム１２Ａ，１２Ｂの各スクレーパは、各二種類の長さ寸法が相互に異なっていることになる。これは、車輪１６の部分では、オイルパン４上の塵埃や油等を除去することができないので、後方のスクレーパ１５Ｂでこれをフォローするようにしたものである。
【００１７】
更に、前側のステップ軸２Ａに固定された固定片３Ａ，３Ｂどうしを連結する連結フレーム５と、リンク部材７Ａ，７Ｂとの間には、一定トルクを発生させるための定トルクバネ１７が架設されている。この定トルクバネ１７は、図２の図（Ａ）及び図（Ｂ）に示すように、オイルパン４の表面とステップ軸２Ａ，２Ｂの走行軌跡線との間の寸法が変化した場合であっても、移動体８の各スクレーパが、常に一定の力でオイルパン４の表面に摺接するようにしたものである。
【００１８】
このように構成されたオイルパンの清掃装置１は、その全体を側面側から見た場合に進行方向に対してＺ字状の形状を成している（図２及び図５参照）。そのため、前後のステップ軸２Ａ，２Ｂどうしの間に架設連結された固定片側と、オイルパン４上を摺接する移動体８の部分とが常に安定した姿勢で走行するようになり、オイルパン４上の表面とスクレーパとの間に隙間が形成され難くなる。つまり、移動体８の前後に取り付けられたスクレーパによって確実にオイルパン４上の塵埃及び油等を除去することが可能である。図５は、清掃装置１の移動体８がオイルパン４の表面上を走行しながらスクレーパによって清掃作業している状態を、オイルパン４の上部機械室側から傾斜走行部を経て下部機械室側へ至まで同時に表したものである。
【００１９】
清掃作業は、上部機械室を開け、２〜３枚のステップを取り外して、前記清掃装置１をステップ軸へ取り付け、その後、手動でエスカレータを駆動させて清掃装置１がオイルパン４の表面上を自動的に走行するようにし、下部機械室まで走行させている。これにより、スクレーパがオイルパン４上の塵埃や油等を掬い取り、清掃が行われる。下部機械室では、溜まった塵埃や油等を手作業で取り除くようにする。そして、清掃装置１を取り外し、ステップを取り付ける等して復旧すればよい。
【００２０】
ところで、本発明は上述した実施の形態に限定されるものではなく、適宜の変更が可能である。例えば、スクレーパ及び車輪は前後に二列設けた場合に基づいて説明したが、三列以上の複数列であってもよい。また移動体８にウェイトを取り付けて重さを適宜変更することで、スクレーパのオイルパンに対する摺接圧を得るようにしてもよい。更に、左右の車輪１６よりも更に左右の外側に位置するスクレーパの寸法（左右方向寸法）を調整することにより、オイルパンの横幅寸法に容易に対応することが可能である。
【００２１】
【発明の効果】
以上説明したように本発明のエスカレータの清掃装置は、ステップ軸に脱着自在に取り付けた固定片と、該固定片に対してリンク部材を介して揺動自在に連結された移動体とから成り、移動体はエスカレータの進行方向に対して直交する方向へ伸びるフレームを有し、該フレームにはオイルパンの表面に当接するスクレーパと車輪とが取り付けられている。例えば、フレームの重量を変更することにより、該フレームに取り付けられたスクレーパのオイルパンに対する摺接圧を変更することが可能である。また車輪がオイルパン上を走行するので、清掃作業中の移動体及びスクレーパの姿勢が安定する。従って、オイルパン上の塵埃や油の清掃を確実に行うことが可能である。
【００２２】
また本発明にあっては、前後のステップ軸間に固定片が取り付けられており、該前後の固定片どうしは間隔が伸縮できるように関節アームを介して連結されているので、清掃作業中の移動体及びスクレーパの姿勢がより安定する。そのため、スクレーパとオイルパン表面との間に隙間が形成され難くなり、前記にも増してオイルパンの清掃性に優れている。
【００２３】
更に、本発明の清掃装置にあっては、移動体は前後に平行に配設された複数のフレームを有し、それぞれにスクレーパと車輪とが取り付けられているので、前後の複数のスクレーパで清掃することにより、清掃の確実性をより向上させることができる。また前進側の車輪の存在により清掃できなかった部分を、後ろ側のスクレーパで清掃することができ、確実な清掃が可能である。
【図面の簡単な説明】
【図１】本発明の一実施の形態に係るエスカレータオイルパンの清掃装置を示す平面図である。
【図２】本発明の一実施の形態に係るエスカレータオイルパンの清掃装置を示すものでって、図（Ａ）は低い姿勢の時の側面図であり、図（Ｂ）は高い姿勢の時の側面図である。
【図３】本発明の一実施の形態に係るエスカレータオイルパンの清掃装置を示すものであって、図（Ａ）は図１のＸ−Ｘ線断面図であり、図（Ｂ）は図１のＹ−Ｙ線断面図である。
【図４】本発明の一実施の形態に係るエスカレータオイルパンの清掃装置を示すものであって、図（Ａ）は前後のスクレーパを拡大して示す側面図であり、図（Ｂ）は同正面図である。
【図５】本発明の一実施の形態に係るエスカレータオイルパンの清掃装置を示すものであって、複数カ所における清掃作業の状態を同時に表す側面図である。
【符号の説明】
１…清掃装置、２Ａ，２Ｂ…ステップ軸、３Ａ，３Ｂ，３Ｃ…固定片、４…エスカレータオイルパン、５…連結フレーム、６Ａ，６Ｂ…関節アーム、７Ａ，７Ｂ…リンク部材、８…移動体、９…移動体本体、１０…ナット溝、１１…ナット、１２Ａ，１２Ｂ…フレーム、１３…ボルト、１４Ａ，１４Ｂ，１５Ａ，
１５Ｂ…スクレーパ、１６…車輪
【図１】
2004168467.tif 000003
【図２】
2004168467.tif 000004
【図３】
2004168467.tif 000005
【図４】
2004168467.tif 000006
【図５】
2004168467.tif 000007